(57)【要約】【課題】  装置前面側からの手動による記録媒体の供給を確実に行うことができる記録装置と液体噴射装置を提供すること。【解決手段】  記録媒体を装置前面側から自動で供給して記録した後、当該記録媒体を装置前面側に排出し、あるいは当該排出部から記録媒体を手動で供給し、記録した後に当該排出部から排出する記録装置１００に適用される。この記録装置１００は、手動供給される記録媒体の先端部が、自動供給される記録媒体の供給経路内に侵入することを阻止する侵入阻止部材１５８を備えている。これにより、装置前面側からの手動による記録媒体の供給を確実に行うことができ、記録媒体の折れ曲がりによる搬送エラーや記録ミスの発生を防止することができる。【選択図】      図８
2005170566.tif 000002
【特許請求の範囲】
【請求項１】
記録媒体を装置前面側から自動で供給して記録した後、当該記録媒体を前記装置前面側に排出し、あるいは当該排出部から記録媒体を手動で供給し、記録した後に当該排出部から排出する記録装置であって、
前記手動供給される記録媒体の先端部が、前記自動供給される記録媒体の供給経路内に侵入することを阻止する侵入阻止部材を備えたことを特徴とする記録装置。
【請求項２】
前記自動供給される記録媒体を前記排出部側へ反転させる反転ローラを備え、前記侵入阻止部材は、前記反転ローラの搬送下流側近傍に配設されていることを特徴とする請求項１に記載の記録装置。
【請求項３】
前記侵入阻止部材は、前記手動供給される記録媒体の先端部裏面を付勢することを特徴とする請求項１または２に記載の記録装置。
【請求項４】
被噴射媒体に液体を噴射する液体噴射装置であって、
請求項１〜３の何れか一項に記載の侵入阻止部材を備えたことを特徴とする液体噴射装置。
【発明の詳細な説明】
【技術分野】
【０００１】
本発明は、記録媒体を装置前面側から自動で供給して記録した後、当該記録媒体を前記装置前面側に排出し、あるいは当該排出部から記録媒体を手動で供給し、記録した後に当該排出部から排出する記録装置に関する。
【背景技術】
【０００２】
記録媒体として例えばＪＩＳ規格のＡ４判からＪＩＳ規格のＡ２判といった比較的大型のサイズの用紙にまで記録できる大型の記録装置の１つであるインクジェット式プリンタがある。このような大型のインクジェット式プリンタは、重量のある用紙を取り扱う関係上、小型のインクジェット式プリンタのように背面側から給紙して前面側に排紙することが困難であるため、前面側で給排紙するようになっている。
【０００３】
すなわち、インクジェット式プリンタの前面には、給紙トレイと排紙トレイが配設されている。この給紙トレイに収納された用紙は、給紙ローラにより取り出され、反転ローラとその従動ローラで挟持されて反転され、紙送りローラとその従動ローラで挟持されて記録部のプラテンに給紙される。そして、記録ヘッドからインク滴が吐出されて記録され、排紙ローラとその従動ローラで挟持されて排紙トレイに排紙されるようになっている。また、比較的厚い用紙の場合は、曲げることができないため反転ローラにより反転することができないので、排紙口から手差しで挿入し、記録して排紙するようになっている。
【０００４】
【特許文献１】特開２００２−６８５３５号公報
【発明の開示】
【発明が解決しようとする課題】
【０００５】
上述したインクジェット式プリンタは、給紙ローラにより供給される用紙の給紙経路と、手差しにより供給される用紙の給紙経路が、反転ローラの搬送下流側から排紙口までの間で重複している。したがって、用紙を排紙口から手差しで挿入したとき、用紙の先端部が反転ローラとその従動ローラの隙間に落ち込むおそれがる。そして、用紙の先端部が反転ローラとその従動ローラの隙間に落ち込むと用紙が折れ曲がってしまう場合があり、記録ミスが発生したり、搬送エラーを引き起こすおそれがある。
【０００６】
本発明は、上記のような種々の課題に鑑みなされたものであり、その目的は、装置前面側からの手動による記録媒体の供給を確実に行うことができる記録装置と液体噴射装置を提供することにある。
【課題を解決するための手段】
【０００７】
上記目的達成のため、本発明の記録装置では、記録媒体を装置前面側から自動で供給して記録した後、当該記録媒体を前記装置前面側に排出し、あるいは当該排出部から記録媒体を手動で供給し、記録した後に当該排出部から排出する記録装置であって、前記手動供給される記録媒体の先端部が、前記自動供給される記録媒体の供給経路内に侵入することを阻止する侵入阻止部材を備えたことを特徴としている。これにより、装置前面側からの手動による記録媒体の供給を確実に行うことができ、記録媒体の折れ曲がりによる搬送エラーや記録ミスの発生を防止することができる。
【０００８】
また、前記自動供給される記録媒体を前記排出部側へ反転させる反転ローラを備え、前記侵入阻止部材は、前記反転ローラの搬送下流側近傍に配設されていることを特徴としている。これにより、排出部から手動で供給される記録媒体の先端部が、反転ローラに沿って落ち込むことを防止することができる。また、前記侵入阻止部材は、前記手動供給される記録媒体の先端部裏面を付勢することを特徴としている。これにより、記録媒体が比較的薄手のときは、侵入阻止部材がその記録媒体の先端部を持ち上げるので、異なる搬送経路内への侵入を確実に阻止することができる。また、記録媒体が比較的厚手のときは、その記録媒体の先端部が侵入阻止部材を押し込むので、記録媒体全体の浮き上がりを防止することができる。
【０００９】
上記目的達成のため、本発明の液体噴射装置では、被噴射媒体に液体を噴射する液体噴射装置であって、上記各侵入阻止部材を備えたことを特徴としている。これにより、上記各作用効果を奏する液体噴射装置を提供することができる。
【発明を実施するための最良の形態】
【００１０】
図１は、本発明の一実施の形態に係る記録装置の１つであるインクジェット式プリンタの外観構成の全体を斜め前方から見た斜視図である。このインクジェット式プリンタ１００は、例えばＪＩＳ規格のＡ２判やＵＳＣ規格の１７インチといった比較的大型のサイズのいわゆるカットされた用紙やロール状の用紙に記録できる卓上型の大型のプリンタであり、全体が幅方向に長く延びる略直方体状のハウジング１０１で覆われている。
【００１１】
このハウジング１０１の上面には、矩形状の窓部１０２が形成されている。この窓部１０２は、透明もしくは半透明の窓カバー１０３によって覆われている。窓カバー１０３は、その上部の回動軸を中心に図示矢印ａ方向に回動可能に取り付けられている。ユーザは、窓カバー１０３を持ち上げて窓部１０２を開放することにより、窓部１０２を通して内部機構のメンテナンス作業等を行うことができる。
【００１２】
ハウジング１０１の前面両側には、複数のインクカートリッジが抜き差しされるカートリッジ収納部１０４がそれぞれ形成されている。各インクカートリッジは、記録用の各色のインクを貯留している。各カートリッジ収納部１０４は、透明もしくは半透明のカートリッジカバー１０５によって覆われている。カートリッジカバー１０５は、その下部の回動軸を中心に図示矢印ｂ方向に回動可能に取り付けられている。ユーザは、カートリッジカバー１０５を軽く押して係止部を外しカートリッジ収納部１０４を開放することにより、インクカートリッジの交換作業等を行うことができる。
【００１３】
ハウジング１０１の前面右側のカートリッジ収納部１０４の上部には、プリンタ動作を指示する操作部１１０が配設されている。操作部１１０は、パワーをオン・オフするパワー系、用紙の頭出し等を操作したりインクのフラッシング等を操作する操作系、画像処理等を行う処理系等のボタン１１１と、状態を表示する液晶パネル１１２等を備えている。ユーザは、液晶パネル１１２を見て確認しながらボタン１１１を操作することができる。
【００１４】
ハウジング１０１の前面右側のカートリッジ収納部１０４の下部には、廃液タンク１２０が抜き差しされるタンク収納部１０６が形成されている。この廃液タンク１２０は、記録ヘッド１６２（図５参照）のクリーニング処理時やインクカートリッジの交換時に廃棄される廃インクを貯留する。ユーザは、廃液タンク１２０を引き出すことにより、内部に溜まっている廃インクの廃棄作業等を行うことができる。
【００１５】
ハウジング１０１の背面には、ロール状の用紙を給紙する給紙部１３０が上部後方に突き出るように配設されている。給紙部１３０の内部には、１本のロール状の用紙がセット可能なロール紙ホルダが配設され、給紙部１３０の前面には、跳ね上げ式の開閉可能なロール紙カバー１３１がロール紙ホルダを覆うように取り付けられている。ユーザは、ロール紙カバー１３１を持ち上げて給紙部１３０を開放することにより、ロール状の用紙の取り付け・取り外し作業等を行うことができる。なお、ロール紙カバー１３１の上面は、カットされた用紙を手差しで給紙案内することが可能な給紙案内面に形成されている。
【００１６】
ハウジング１０１の前面中央、すなわち一対のカートリッジ収納部１０４の間には、記録前のカットされた用紙及び記録後のカットされた用紙またはロール状の用紙を積載する給排紙トレイ２００が抜き差しされる給排紙部１４０が形成されている。なお、この給排紙部１４０は、カットされた用紙を手差しで給紙することが可能なようにも形成されている。
【００１７】
この給排紙部１４０には、給排紙トレイ２００の前部が差し込まれ、給排紙トレイ２００の後部が突き出るようにして固定される。給排紙トレイ２００は、カセット型に形成されており、内部に記録前の給紙されるカットされた用紙が積層収納され、上部に記録後の排紙されるカットされた用紙またはロール状の用紙が積層載置されるようなっている。このような給排紙トレイ２００の詳細構造について、図２〜図４を参照して以下説明する。
【００１８】
図２は、上記給排紙トレイ２００の外観構成の全体を斜め前方から見た斜視図である。この給排紙トレイ２００は、箱状に形成された給紙トレイ２１０と、この給紙トレイ２１０の上面を覆う蓋状に形成された排紙トレイ２３０を備えている。給排紙トレイ２００は、給排紙方向に伸縮自在に形成されており、不使用のときはコンパクトに格納しておくことができ、また使用のときは種々のサイズのカットされた用紙に対応可能になっている。
【００１９】
図３及び図４は、給排紙トレイ２００が装着された給排紙部１４０を示す斜視図である。カットされた用紙を積層載置する場合は、図３に示すように、ロール紙案内部２４０は排紙部材２３９ａの上面に格納した状態、すなわち排紙部材２３９ａの上面はフラットな面にする。これにより、排紙ローラ１５５（図５参照）を通って排紙されるカットされた用紙は、断面がＬ字状に形成された案内部１４５の側面及び底面と排紙部材２３９ａ〜２３９ｄの上面とで形成される排紙受け面上にスムーズに積層載置される。
【００２０】
なお、案内部１４５の底面には、スポンジマット１４５ａが貼着されている。このスポンジマット１４５ａは、１枚目のカットされた用紙を載置した後、２枚目のカットされた用紙が排紙されてきたとき、２枚目のカットされた用紙の先端が１枚目のカットされた用紙を突付いて排紙受け面から突き落としてしまうことを防止するための滑り止めの機能を有している。
【００２１】
一方、ロール状の用紙を積層載置する場合は、図４に示すように、排紙部材２３９ａの上面に格納されているロール紙案内部２４０の第１の案内板２４１の他長辺側にユーザが指を掛けて後方に向かって旋回させる。すると、第２の案内板２４２が第１の案内板２４１に引っ張られて、長手方向の一端側が持ち上げられ、長手方向の他端側が排紙部材２３９ａの上面に形成されている溝２３９ａａに沿って後方に摺動する。そして、第１の案内板２４１と第２の案内板２４２とがなす角度が鋭角になるまで、第１の案内板２４１を旋回させる。
【００２２】
これにより、第２の案内板２４２は、その長手方向の一端側が案内部の側面の頂部に近接して滑り台状になる。このため、排紙ローラを通って排紙されるロール状の用紙がカールしていても、その先端が案内部側に巻き込まれてしまうことはなく、その先端は滑り台状の第２の案内板２４２上を滑走して排紙部材２３９ａ〜２３９ｄの上面側に導かれる。したがって、ロール状の用紙は、第２の案内板２４２と排紙部材２３９ａ〜２３９ｄの上面とで形成される排紙受け面上にスムーズに積層載置される。
【００２３】
図５は、図１のインクジェット式プリンタ１００の内部構成の概略を示す断面側面図である。ハウジング１０１内には、給排紙部１４０及び記録部１６０と、本発明の特徴的な部分を含む搬送部１５０等が配設されている。給排紙部１４０には、カットされた用紙を給紙するためのホッパ１４１、給紙ローラ１４２、分離部材１４３等が配設されている。ホッパ１４１は、カットされた用紙が載置可能な平板状に形成されており、一端が給紙ローラ１４２と分離部材１４３の近傍に位置し、他端が装着されている給排紙トレイ２００の給紙部２１０の底面に近接して位置するように配設されている。そして、ホッパ１４１は、一端側の裏面にハウジング１０１の底面に一端が取り付けられた圧縮バネ１４４の他端が取り付けられており、この圧縮バネ１４４の伸縮により他端側を中心に一端側が旋回するように配設されている。
【００２４】
給紙ローラ１４２は、断面の一部が切り欠かれたＤ字状に形成されており、間欠的に回転してホッパ１４１上のカットされた用紙を摩擦搬送するようになっている。分離部材１４３は、上面が粗面に形成されており、給紙ローラ１４２によりカットされた用紙が重送されたときに下層のカットされた用紙を最上層のカットされた用紙から摩擦分離するようになっている。ここで、ホッパ１４１上に載置されたカットされた用紙と給紙ローラ１４２との関係について図６を参照して説明する。
【００２５】
図６は、ホッパ１４１上に載置されたカットされた用紙と給紙ローラ１４２との接触状態を示す図である。図６（Ａ）は、ホッパ１４１上に最大枚数のカットされた用紙Ｐが載置された場合であり、この場合はホッパ１４１が上昇したとき、最上層のカットされた用紙Ｐ１が給紙ローラ１４２の切り欠き部分には接触せず、少なくとも円弧開始点１４２ａ以降の円周に接触するように調節されている。
【００２６】
また、図６（Ｂ）は、ホッパ１４１上に最小枚数（１枚）のカットされた用紙Ｐ１が載置された場合であり、この場合はホッパ１４１が上昇したとき、そのカットされた用紙Ｐ１が給紙ローラ１４２の円弧開始点１４２ａから少し回転した点１４２ｂに接触するように調節されている。この接触点１４２ｂは、接触点１４２ｂから円弧終了点１４２ｃまでの円周長さが、用紙Ｐ１の先端ｐｓからサブローラ１５１とその従動ローラ１５２ａとの接触点１５１ａまでの間隔と同一長ａとなるときの点である。
【００２７】
以上のように調節することにより、ホッパ１４１上に載置されるカットされた用紙Ｐが最大枚数以下であれば、最上層のカットされた用紙Ｐ１の先端ｐｓがサブローラ１５１とその従動ローラ１５２ａとの接触点１５１ａに届くまで、カットされた用紙Ｐ１は給紙ローラ１４２からレリースされないので、カットされた用紙Ｐ１をサブローラ１５１に確実に受け渡すことができ、給紙ミスを無くすことができる。
【００２８】
搬送部１５０には、用紙を搬送するためのサブローラ（反転ローラ）１５１とその従動ローラ（反転ローラ）１５２ａ、１５２ｂ、１５２ｃ、紙送りローラ１５３とその従動ローラ１５４、排紙ローラ１５５とその従動ローラ１５６、用紙を検知する検知センサ１５７ａ、１５７ｂ、本発明の特徴的な部分であるジャンプ台（侵入阻止部材）１５８等が配設されている。
【００２９】
サブローラ１５１は、給紙トレイ２１０から給紙されるカットされた用紙を排紙トレイ２３０に排紙するために、カットされた用紙を従動ローラ１５２ａ、１５２ｂ、１５２ｃとともに挟持してＵ字状に反転搬送させるようになっている。また、サブローラ１５１は、給紙部１３０から給紙されるロール状の用紙を排紙部２３０に排紙するために、ロール状の用紙を従動ローラ１５２ｃとともに挟持して搬送させるようになっている。従動ローラ１５２ｂ、１５２ｃを支持している従動ローラ支持部１５２は、ハウジング１０１の後方から着脱可能に構成されている。これにより、反転搬送中に用紙がジャム等の搬送エラーを起こしたときに容易に解除することができる。
【００３０】
紙送りローラ１５３は、反転搬送されてきたカットされた用紙もしくは給紙されてくるロール状の用紙を従動ローラ１５４とともに挟持してプラテン１６３へ送り出すようになっている。排紙ローラ１５５は、プラテン１６３を通過してくる用紙を単独で支持し、あるいは従動ローラ１５６とともに挟持して排紙トレイ２３０上へ排紙するようになっている。検知センサ１５７ａは、給紙されてくるカットされた用紙のスキュー取りの際の搬送量を検知するようになっている。検知センサ１５７ｂは、反転搬送されてくるカットされた用紙もしくは搬送されてくるロール状の用紙の頭出しの際の搬送量を検知するようになっている。
【００３１】
従動ローラ１５６は、排紙ローラ１５５上に搬送されてくる用紙の記録面に対し当接または離間するギザローラ１１及びコロローラ１２と、これらのローラ１１、１２の当接・離間を切り替える切替軸１４を備えている。ギザローラ１１は、周面に鋸刃状の突起が形成されており、用紙の記録面に食い込んで用紙を排紙ローラ１５５と挟持することにより確実に搬送するようになっている。
【００３２】
コロローラ１２は、周面が滑らかに形成されており、用紙の記録面を押圧して用紙を排紙ローラ１５５と挟持することにより確実に搬送するようになっている。そして、切替軸１４の周面には、ギザローラ１１とコロローラ１２とギザローラ１１やコロローラ１２が配設されていないレリース部１３が円周方向に所定間隔を空けて配設され、かつこれらが軸方向に所定間隔を空けて複数組配設されている。
【００３３】
このような従動ローラ１５６によれば、切替軸１４を回転させることにより、ギザローラ１１とコロローラ１２、ギザローラ１１とレリース部１３、コロローラ１２とレリース部１３を任意に切り替えることができる。このギザローラ１１とレリース部１３またはコロローラ１２とレリース部１３の切替は、用紙の記録面に対するギザローラ１１またはコロローラ１２の当接・離間を擬似的に行っていることになる。したがって、上記各切替により多くの属性の用紙に対応することができる。なお、従動ローラ１５６には、ギザローラ１１とコロローラ１２とレリース部１３の３種を各１個ずつ配設するようにしたが、これに限定されるものではなく、１種以上を２個以上で任意の組み合わせで配設するようにしても良い。
【００３４】
ジャンプ台１５８は、サブローラ１５１と紙送りローラ１５３の間に配設されている用紙搬送案内部１５９上に配設されている。給排紙部１４０から手差しで給紙されるカットされた用紙の先端部はジャンプ台１５８により持ち上げられるので、用紙の先端部がサブローラ１５１と従動ローラ支持部１５２の間隙に落ち込むことを防止することができ、高精度な搬送・記録を行うことができる。
【００３５】
記録部１６０には、キャリッジ１６１と、記録ヘッド１６２、プラテン１６３及び支持リブ１６４等が配設されている。キャリッジ１６１は、図示しないキャリッジベルトに連結されており、図示しないキャリッジモータによってキャリッジベルトが作動すると、キャリッジベルトの動きに連行され、ガイド軸に案内されて用紙上を搬送直交方向に往復移動するようになっている。さらに、キャリッジ１６１は、下方の用紙に向けてインク滴を吐出可能な記録ヘッド１６２が搭載されている。
【００３６】
記録ヘッド１６２は、例えば２種類のブラックインクを吐出する複数のブラックインク用記録ヘッドと、イエロー、ダークイエロー、シアン、ライトシアン、マゼンタ、ライトマゼンタの６色のインク滴をそれぞれ吐出する複数のカラーインク用記録ヘッドとを備えている。そして、記録ヘッド１６２は、圧力発生室とそれに繋がるノズル開口が設けられており、圧力発生室内にインクを貯留して所定圧で加圧することにより、ノズル開口からプラテン１６３上の用紙に向けてコントロールされた大きさのインク滴を吐出するようになっている。
【００３７】
プラテン１６３は、その上面である記録案内面１６３ａにて、紙送りローラ１５３及び従動ローラ１５４から排紙ローラ１５５及び従動ローラ１５６に向かって搬送される用紙を支持して案内し、あるいは支持リブ１６４とともに支持して案内するようになっている。プラテン１６３の記録案内面１６３ａには、縁無し印刷のときに用紙の側端部から外れたインクを吸収するインク吸収材が配設されている。これにより、無用なインクを回収することができるので、無用なインクによる用紙の汚染を防止することができる。さらに、用紙をプラテン１６３の記録案内面１６３ａに吸着する吸引孔が穿設されている。これにより、記録ヘッド１６２のノズル形成面と用紙の記録面との距離を一定に保つことができるので、高記録精度を維持することができる。
【００３８】
支持リブ１６４は、プラテン１６３の記録案内面１６３ａに形成されているスリット１６３ｂから突き出しまたは引っ込むリブ２１と、このリブ２１の突出・引込を切り替える切替軸２２を備えている。リブ２１は、略三角形の板状に形成されており、円弧状の一角部が記録案内面１６３ａから突き出て用紙を支持するようになっている。切替軸２２は、両端がプラテン１６３の側面１６３ｃに軸支持されている。そして、切替軸２２の周面には、リブ２１が軸方向に所定間隔を空けて複数個配設されている。
【００３９】
このような支持リブ１６４によれば、切替軸２２を回転させることにより、プラテン１６３の記録案内面１６３ａに形成されているスリット１６３ｂにおいて、リブ２１における円弧状の一角部と平坦な部分とを任意に切り替えることができる。すなわち、プラテン１６３の記録案内面１６３ａに形成されているスリット１６３ｂに、リブ２１の円弧状の一角部を位置決めすることによりリブ２１を突き出させることができ、リブ２１の平坦な部分を位置決めすることによりリブ２１を引っ込めることができる。したがって、上記切替により後で詳述する多くの属性の用紙に対応することができる。
【００４０】
図７は、本発明の特徴的な部分である上記ジャンプ台１５８とその周辺部の詳細構成を示す斜視図、図８は、その側面図である。このジャンプ台１５８は、山形状に折り曲げられた板バネであり、用紙搬送案内部１５９のサブローラ１５１側の上面から頂部が突出するようにして一端部が用紙搬送案内部１５９に固定されている。そして、用紙搬送案内部１５９の上面を用紙の搬送直交方向に向かって所定間隔を空けて複数配設されている。
【００４１】
このような構成によれば、給排紙部１４０から手差しで給紙されるカットされた用紙が薄手の用紙Ｐの場合は、その先端部ＰＳはジャンプ台１５８の頂部で上方に反り返される。したがって、用紙Ｐの先端部ＰＳは、給排紙部１４０から給紙ローラ１４２により給紙されるカットされた用紙の給紙経路、すなわち図示点線で示すサブローラ１５１と従動ローラ支持部１５２の間隙に落ち込むことを防止することができ、高精度な搬送・記録を行うことができる。
【００４２】
一方、給排紙部１４０から手差しで給紙されるカットされた用紙が厚手の用紙の場合は、曲げ剛性が高いため、従動ローラ１５３の押圧力により、その先端部はジャンプ台１５８の頂部を押してジャンプ台１５８を下方に撓ませる。したがって、撓まないジャンプ台を使用した場合には用紙全体が浮き上がって従動ローラ１５３を押し上げてしまう問題があるが、板バネのジャンプ台１５８を使用することにより、上記問題を解消することができる。
【００４３】
このような構成において、インクジェット式プリンタ１００にて給排紙部１４０から手差しで給紙されるカットされた用紙に記録する場合の動作について説明する。先ず、ユーザは、カットされた用紙を給排紙部１４０から手差しで給紙する。このとき、カットされた用紙の先端部は、ジャンプ台１５８で持ち上げられるので、サブローラ１５１と従動ローラ支持部１５２の間隙に落ち込むことはない。インクジェット式プリンタ１００の制御部は、手差しのカットされた用紙に対応する従動ローラ１５６と支持リブ１６４の切替を行う。すなわち、従動ローラ１５６はレリース部１３に切り替えられ、支持リブ１６４のリブ２１は引っ込められる。そして、カットされた用紙のスキュー取り及び頭出しを行う。
【００４４】
スキュー取り及び頭出しが完了したカットされた用紙は、図示しない紙送りモータにより駆動されている紙送りローラ１５３とその従動ローラ１５４に挟持されて記録部１６０へ搬送される。搬送されるカットされた用紙は、吸引ポンプによりプラテン１６３上に吸着されて平坦にされ、キャリッジモータとタイミングベルトにより走査されるキャリッジ１６１に搭載された記録ヘッド１６２により記録される。
【００４５】
このとき、制御部は、例えばイエロー、ライトイエロー、マゼンタ、ライトマゼンタ、シアン、ライトシアン、ブラックの計７色のインクカートリッジから記録ヘッド１６２へ各色インクを供給し、各色インクの吐出タイミング及びキャリッジ１６１や紙送りローラ１５３の駆動を制御して、高精度なインクドット制御、ハーフトーン処理等を実行する。そして、記録が完了したカットされた用紙は、図示しない紙送りモータにより駆動されている排紙ローラ１５５により給排紙部１４０へ排紙され、給排紙トレイ２００の排紙トレイ２３０上へ載置される。
【００４６】
以上のように、本実施形態のインクジェット式プリンタ１００によれば、給排紙部１４０から手差しで給紙される用紙の先端部が、給紙ローラ１４２で給紙される用紙の給紙経路内に侵入することを阻止するジャンプ台１５８を備えているので、給排紙部１４０からの手差しによる用紙の給紙を確実に行うことができ、用紙の折れ曲がりによる搬送エラーや記録ミスの発生を防止することができる。
【００４７】
また、ジャンプ台１５８は、サブローラ１５１の搬送下流側近傍に配設されているので、給排紙部１４０から手差しで給紙される用紙の先端部が、サブローラ１５１に沿って落ち込むことを防止することができる。また、ジャンプ台１５８は、板バネであり、給排紙部１４０から手差しで給紙される用紙の先端部裏面を付勢するので、用紙が比較的薄手のときは、その先端部を持ち上げて、給紙ローラ１４２で給紙される用紙の給紙経路内への侵入を確実に阻止することができる。また、用紙が比較的厚手のときは、その用紙の先端部がジャンプ台１５８を押し込むので、用紙全体の浮き上がりを防止することができる。
【産業上の利用可能性】
【００４８】
侵入阻止部材を備えた記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４９】
【図１】本発明の一実施の形態に係る記録装置の１つであるインクジェット式プリンタの外観構成の全体を斜め前方から見た斜視図である。
【図２】図１のプリンタの給排紙トレイの斜視図である。
【図３】図２の給排紙トレイの使用形態を示す斜視図である。
【図４】図２の給排紙トレイの別の使用形態を示す斜視図である。
【図５】図１のプリンタの内部構成の概略を示す断面側面図である。
【図６】ホッパ上の用紙と給紙ローラとの接触状態を示す図である。
【図７】ジャンプ台とその周辺部の詳細構成を示す斜視図である。
【図８】図７の側面図である。
【符号の説明】
【００５０】
１１  ギザローラ、１２  コロローラ、１３  レリース部、１４  切替軸、２１  リブ、２２  切替軸、１００  インクジェット式プリンタ、１０１  ハウジング、１０４  カートリッジ収納部、１０５  カートリッジカバー、１１０  操作部、１１１  ボタン、１１２  液晶パネル、１３０  給紙部、１４０  給排紙部、１４１  ホッパ、１４２  給紙ローラ、１４３  分離部材、１５０  搬送部、１５１  サブローラ、１５２  従動ローラ支持部、１５２ａ、１５２ｂ、１５２ｃ  従動ローラ、１５３  紙送りローラ、１５４  従動ローラ、１５５  排紙ローラ、１５６  従動ローラ、１５８  ジャンプ台、１５９  用紙搬送部、１６０  記録部、１６１  キャリッジ、１６２  記録ヘッド、１６３  プラテン、１６３ａ  記録案内面、１６４  支持リブ、２００  給排紙トレイ、２１０  給紙トレイ、２３０  排紙トレイ
【図１】
2005170566.tif 000003
【図２】
2005170566.tif 000004
【図３】
2005170566.tif 000005
【図４】
2005170566.tif 000006
【図５】
2005170566.tif 000007
【図６】
2005170566.tif 000008
【図７】
2005170566.tif 000009
【図８】
2005170566.tif 000010